(57)【特許請求の範囲】
【請求項１】
信号伝送方法であって、
端末装置が第一の信号を伝送するための第一のリソースプールを確定することと、
前記端末装置が少なくとも一つのリソースプールと少なくとも一つの基礎パラメータセットとの対応関係を取得し、前記対応関係が、前記少なくとも一つのリソースプール内の各リソースプールが前記少なくとも一つの基礎パラメータセットにおける一つの基礎パラメータセットに対応することを示すことに用いられ、前記少なくとも一つのリソースプールが前記第一のリソースプールを含むことと、
前記端末装置が前記第一のリソースプールと前記対応関係に基づき、前記少なくとも一つの基礎パラメータセットから、前記第一の信号を伝送するためのターゲット基礎パラメータセットを確定することと、
前記端末装置が前記ターゲット基礎パラメータセットに基づいて前記第一のリソースプールの伝送リソースで前記第一の信号を伝送することとを含み、
前記端末装置が前記第一の信号を伝送するための第一のリソースプールを確定することは、
前記端末装置がネットワーク装置から送信された第二の指示情報を受信し、前記第二の指示情報が前記第一の信号を伝送するための前記第一のリソースプールを示すことに用いられることと、
前記端末装置が前記第二の指示情報に基づいて前記第一の信号を伝送するための前記第一のリソースプールを確定することと、を含み、
前記端末装置が少なくとも一つのリソースプールと少なくとも一つの基礎パラメータセットとの対応関係を取得することは、
前記端末装置がネットワーク装置から送信された第一の指示情報を受信し、前記第一の指示情報が前記対応関係を示すことに用いられることと、
前記端末装置が前記第一の指示情報に基づいて前記少なくとも一つのリソースプールと前記少なくとも一つの基礎パラメータセットとの前記対応関係を取得することとを含む、前記信号伝送方法。
【請求項２】
前記端末装置が前記第一の信号を伝送するための第一のリソースプールを確定することは、
前記端末装置が前記第一の信号のサービスタイプ、周波数帯域とパス損失のうちの少なくとも一つに基づき、前記第一の信号を伝送するための前記第一のリソースプールを確定すること、又は
前記端末装置が少なくとも一つのリソースプールから、一つのリソースプールを前記第一の信号を伝送するための前記第一のリソースプールとしてランダムに選択すること、又は
前記端末装置が前記端末装置の伝送パラメータに基づいてリソースプールインデックスを確定し、前記リソースプールインデックスに基づいて少なくとも一つのリソースプールから前記第一の信号を伝送するための前記第一のリソースプールを確定すること、又は、
前記端末装置が前記少なくとも一つのリソースプールに対して負荷測定を行った後、負荷が最も低いリソースプール又は第一の閾値より低いリソースプールを前記第一の信号を伝送するためのリソースプールとして選択すること、又は
前記端末装置が前記第一の信号以外の第二の信号を検出し、前記第二の信号が所在するリソースプールを前記第一の信号を伝送するための前記第一のリソースプールとして確定することを、さらに含むことを特徴とする
請求項１に記載の方法。
【請求項３】
前記端末装置が前記ターゲット基礎パラメータに基づいて前記第一のリソースプールの伝送リソースで前記第一の信号を伝送することは、
前記端末装置が前記ターゲット基礎パラメータセットに基づいて前記第一のリソースプールに含まれる少なくとも一つの伝送リソースから伝送リソースをランダムに選択して前記第一の信号を伝送すること、又は、
前記端末装置が前記端末装置の伝送パラメータに基づいて伝送リソースインデックスを確定し、伝送リソースインデックスに基づいて前記第一のリソースプールに含まれる少なくとも一つの伝送リソースから、前記第一の信号を伝送するための伝送リソースを確定し、前記端末装置が前記ターゲット基礎パラメータセットに基づき、前記第一の信号を伝送するための伝送リソースで前記第一の信号を伝送すること、又は、
前記端末装置が予め設定された伝送リソースインデックスに基づき、前記第一の信号を伝送するための第一のリソースプールに含まれる少なくとも一つの伝送リソースから、前記第一の信号を伝送するための伝送リソースを確定し、前記端末装置が前記ターゲット基礎パラメータセットに基づき、前記第一の信号を伝送するための伝送リソースで前記第一の信号を伝送すること、又は、
前記端末装置が前記第一のリソースプールに含まれる少なくとも一つの伝送リソースで負荷測定を行い、前記第一のリソースプールに含まれる少なくとも一つの伝送リソースから、負荷が最も低い伝送リソース又は第二の閾値より低い伝送リソースを選択し、前記端末装置が前記ターゲット基礎パラメータセットに基づいて前記負荷が最も低い伝送リソース又は第二の閾値より低い伝送リソースで前記第一の信号を伝送することを含むことを特徴とする
請求項１又は２に記載の方法。
【請求項４】
前記基礎パラメータセットは、
サブ搬送波間隔、システム帯域幅に含まれるサブ搬送波数、物理リソースブロック（ＰＲＢ）に含まれるサブ搬送波数、直交周波数分割多重（ＯＦＤＭ）のシンボル長、ＯＦＤＭ信号を生成するための高速フーリエ変換（ＦＦＴ）又は逆高速フーリエ変換（ＩＦＦＴ）のポイント数、伝送時間間隔（ＴＴＩ）に含まれるＯＦＤＭシンボル数、第一の期間内に含まれるＴＴＩ数と前記第一の信号のサイクリックプレフィックス（ＣＰ）タイプのうちの少なくとも一つを含むことを特徴とする
請求項１−３のいずれか一項に記載の方法。
【請求項５】
前記第一の信号はランダムアクセス信号又はデータ信号又はアップリンク制御信号であることを特徴とする
請求項１−４のいずれか一項に記載の方法。
【請求項６】
信号伝送装置であって、
第一の信号を伝送するための第一のリソースプールを確定し、前記第一のリソースプールに基づき、前記第一の信号を伝送するためのターゲット基礎パラメータセットを確定するように構成される確定モジュールと、
前記第一のリソースプールに基づき、前記第一の信号を伝送するためのターゲット基礎パラメータセットを確定する前に、少なくとも一つのリソースプールと少なくとも一つの基礎パラメータセットとの対応関係を取得するように構成され、前記対応関係が、前記少なくとも一つのリソースプール内の各リソースプールが前記少なくとも一つの基礎パラメータセットにおける一つの基礎パラメータセットに対応することを示すことに用いられ、前記少なくとも一つのリソースプールが前記第一のリソースプールを含む取得モジュールと、
前記ターゲット基礎パラメータセットに基づいて前記第一のリソースプールの伝送リソースで前記第一の信号を伝送するように構成される伝送モジュールとを備え、
前記確定モジュールは具体的に、ネットワーク装置から送信された第二の指示情報を受信し、前記第二の指示情報が前記第一の信号を伝送するための前記第一のリソースプールを示すことに用いられ、前記第二の指示情報に基づき、前記第一の信号を伝送するための前記第一のリソースプールを確定するように構成され、
前記取得モジュールは具体的に、ネットワーク装置から送信された第一の指示情報を受信し、前記第一の指示情報が前記対応関係を示すことに用いられ、前記第一の指示情報に基づいて前記少なくとも一つのリソースプールと前記少なくとも一つの基礎パラメータセットとの前記対応関係を取得するように構成され、
前記確定モジュールはさらに具体的に、前記第一のリソースプールと前記対応関係に基づいて前記少なくとも一つの基礎パラメータセットから、前記第一の信号を伝送するためのターゲット基礎パラメータセットを確定するように構成される、
前記信号伝送装置。
【請求項７】
前記確定モジュールは具体的に、
前記第一の信号のサービスタイプ、周波数帯域とパス損失パラメータのうちの少なくとも一つに基づき、前記第一の信号を伝送するための前記第一のリソースプールを確定するように構成され、又は
前記装置の伝送パラメータに基づいてリソースプールインデックスを確定し、前記リソースプールインデックスに基づいて少なくとも一つのリソースプールから前記第一の信号を伝送するための前記第一のリソースプールを確定するように構成され、又は
少なくとも一つのリソースプールに対して負荷測定を行った後、負荷が最も低いリソースプール又は第一の閾値より低いリソースプールを前記第一の信号を伝送するためのリソースプールとして選択するように構成され、又は
前記第一の信号以外の第二の信号を検出し、前記第二の信号が所在するリソースプールを前記第一の信号を伝送するための前記第一のリソースプールとして確定するように構成される、ことを特徴とする
請求項６に記載の装置。
【請求項８】
前記伝送モジュールは具体的に、
前記ターゲット基礎パラメータセットに基づいて前記第一のリソースプールに含まれる少なくとも一つの伝送リソースから伝送リソースをランダムに選択して前記第一の信号を伝送するように構成され、又は
前記装置の伝送パラメータに基づいて伝送リソースインデックスを確定し、伝送リソースインデックスに基づいて前記第一のリソースプールに含まれる少なくとも一つの伝送リソースから、前記第一の信号を伝送するための伝送リソースを確定し、前記ターゲット基礎パラメータセットに基づいて前記第一の信号を伝送するための伝送リソースで前記第一の信号を伝送するように構成され、又は、
予め設定された伝送リソースインデックスに基づき、前記第一の信号を伝送するための第一のリソースプールに含まれる少なくとも一つの伝送リソースから、前記第一の信号を伝送するための伝送リソースを確定するように構成され、前記装置が前記ターゲット基礎パラメータセットに基づいて前記第一の信号を伝送するための伝送リソースで前記第一の信号を伝送し、又は、
前記第一のリソースプールに含まれる少なくとも一つの伝送リソースで負荷測定を行い、前記第一のリソースプールに含まれる少なくとも一つの伝送リソースから、負荷が最も低い伝送リソース又は第二の閾値より低い伝送リソースを選択し、前記ターゲット基礎パラメータセットに基づいて前記負荷が最も低い伝送リソース又は第二の閾値より低い伝送リソースで前記第一の信号を伝送するように構成されることを特徴とする
請求項６−７のいずれか一項に記載の装置。
【請求項９】
前記基礎パラメータセットは、
サブ搬送波間隔、システム帯域幅に含まれるサブ搬送波数、物理リソースブロック（ＰＲＢ）に含まれるサブ搬送波数、直交周波数分割多重（ＯＦＤＭ）のシンボル長、ＯＦＤＭ信号を生成するための高速フーリエ変換（ＦＦＴ）又は逆高速フーリエ変換（ＩＦＦＴ）のポイント数、伝送時間間隔（ＴＴＩ）に含まれるＯＦＤＭシンボル数、第一の期間内に含まれるＴＴＩ数と前記第一の信号のサイクリックプレフィックス（ＣＰ）タイプのうちの少なくとも一つを含むことを特徴とする
請求項６−８のいずれか一項に記載の装置。
【請求項１０】
前記第一の信号はランダムアクセス信号又はデータ信号又はアップリンク制御信号であることを特徴とする
請求項６−９のいずれか一項に記載の装置。
【発明の詳細な説明】
【技術分野】
【０００１】
本発明は通信分野に関し、特に通信分野における信号伝送方法及び装置に関する。
【背景技術】
【０００２】
将来の通信システムでは、競争に基づくアップリンクアクセス方式が導入され、端末装置に特定のリソースプールを割り当て、該特定のリソースプールが固定された基礎パラメータセットに対応し、端末装置はネットワーク装置によるスケジューリングがない状況において、競争の方式でリソースプールのリソースを競争してランダムアクセスを行い、又は競争の方式でリソースプールのリソースを競争してデータ伝送を行うこともできる。しかし、端末装置が該固定された基礎パラメータセットを必要とせず、他の基本パラメータセットが必要になる可能性があるため、どのように基礎パラメータセットを選択するかは解決すべき問題となり、例えば、端末装置が異なるサービスタイプをサポートする可能性があり、異なるサービスタイプが異なる基礎パラメータセット（ｎｕｍｅｒｏｌｏｇｙ）を必要とし、端末装置の基礎パラメータセットが固定された場合、端末装置が異なるサービスを伝送するというニーズを満たすことが困難である。
【発明の概要】
【発明が解決しようとする課題】
【０００３】
本発明の実施例による信号伝送方法及び装置は基礎パラメータセットの選択の柔軟性を向上させることができる。
【課題を解決するための手段】
【０００４】
第一の態様による信号伝送方法は、端末装置が第一の信号を伝送するための第一のリソースプールに基づき、前記第一の信号を伝送するためのターゲット基礎パラメータセットを確定することと、前記端末装置が前記ターゲット基礎パラメータセットに基づいて前記第一のリソースプールの伝送リソースで前記第一の信号を伝送することとを含む。
【０００５】
したがって、端末装置は第一のリソースプールに基づいて対応するターゲット基礎パラメータセットを取得し、その後該ターゲット基礎パラメータセットに基づいて第一のリソースプールの伝送リソースを使用して前記第一の信号を伝送することができ、このようにして、端末装置はリソースプールに基づいて対応するターゲット基礎パラメータセットを確定することができ、それによって固定された基本パラメータセットを従来技術により割り当てることが回避され、端末装置は前記第一のリソースプールに基づいて前記第一の信号に対応するターゲット基礎パラメータセットを確定することができ、それによって端末装置が基礎パラメータセットを選択する柔軟性を向上させることもできる。
【０００６】
さらに、異なるサービスに対して異なる基礎パラメータセットを選択することができ、例えば該第一の信号が第一のサービスタイプである場合、第一の基礎パラメータセットを選択し、該第一の信号が第二のサービスタイプである場合、第二の基礎パラメータセットを選択し、このようにして異なるサービスのニーズを満たすことができる。
【０００７】
第一の態様の第一の可能な実施形態では、前記少なくとも一つの基礎パラメータセット内の各基礎パラメータセット及び／又は前記ターゲット基礎パラメータセットは、サブ搬送波間隔、システム帯域幅に含まれるサブ搬送波数、物理リソースブロック（ＰＲＢ）に含まれるサブ搬送波数、直交周波数分割多重（ＯＦＤＭ）のシンボル長、ＯＦＤＭ信号を生成するためのフーリエ変換のポイント数、例えば高速フーリエ変換（Ｆａｓｔ  Ｆｏｕｒｉｅｒ  Ｔｒａｎｓｆｏｒｍ：「ＦＦＴ」と略称）又は逆フーリエ変換例えば高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）のポイント数、伝送時間間隔（Ｔｒａｎｓｍｉｓｓｉｏｎ  Ｔｉｍｅ  Ｉｎｔｅｒｖａｌ：「ＴＴＩ」と略称）に含まれる（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）シンボル数、第一の期間内に含まれるＴＴＩ数と前記第一の信号のサイクリックプレフィックス：「ＣＰ」と略称）タイプのうちの少なくとも一つを含む。サブ搬送波間隔は隣接しているサブ搬送波の周波数間隔、例えば１５ｋＨｚ、６０ｋＨＺなどであり、特定帯域幅におけるサブ搬送波数が例えば可能なシステム帯域幅ごとに対応するサブ搬送波数であり、ＰＲＢに含まれるサブ搬送波の数が例えば典型的に６又は１６の整数倍であってもよく、ＴＴＩに含まれるＯＦＤＭシンボルの数が例えば典型的に２、４、７の整数倍であってもよく、又は１４の整数倍であってもよく、第一の期間内に含まれるＴＴＩの数が１ｍｓ又は１０ｍｓの時間長内に含まれるＴＴＩの数であってもよく、第一の信号ＣＰタイプが、サイクリックプレフィックスが通常のＣＰで拡張されたり、ＣＰで拡張されたりしてもよく、基礎パラメータセットがさらに第一の信号のＣＰの時間長を含むことができる。
【０００８】
選択可能に、前記少なくとも一つの基礎パラメータセット内の各基礎パラメータセット及び／又は前記ターゲット基礎パラメータセットはさらに将来のネットワークシステムにおいて新しく定義されるリソース分割方式の基本パラメータを含むことができ、例えば基本周波数領域ユニット、基本周波数領域ユニットパターン、サブ搬送波パターン、時間領域ユニットにおける基準シンボルに占有された位置、単位周期内のＴＴＩパターン、フレームにおけるサブフレームのパターン、サブフレームにおけるタイムスロットのパターン、タイムスロットにおけるＯＦＤＭパターンなどであってもよい。
【０００９】
第一の態様の上記の可能な実施形態と組み合わせ、第一の態様の第二の可能な実施形態では、前記端末装置が前記第一の信号を伝送するための第一のリソースプールに基づき、前記第一の信号を伝送するためのターゲット基礎パラメータセットを確定する前に、前記方法は、さらに端末装置が少なくとも一つのリソースプールと少なくとも一つの基礎パラメータセットとの対応関係を取得し、前記対応関係が、前記少なくとも一つのリソースプール内の各リソースプールが前記少なくとも一つの基礎パラメータセットにおける一つの基礎パラメータセットに対応することを示すことに用いられ、前記少なくとも一つのリソースプールが前記第一のリソースプールを含むことを含み、ここで、前記端末装置が第一の信号を伝送するための第一のリソースプールに基づき、前記第一の信号を伝送するためのターゲット基礎パラメータセットを確定することは、前記端末装置が前記第一のリソースプールと前記対応関係に基づいて前記少なくとも一つの基礎パラメータセットから、前記第一の信号を伝送するためのターゲット基礎パラメータセットを確定することを含む。
【００１０】
選択可能に、少なくとも一つのリソースプールと少なくとも一つの基礎パラメータセットとの対応関係は、少なくとも一つのリソースプールにおける一つのリソースプールが一つの基礎パラメータセットに対応すること、又は一つの基礎パラメータセットが一つ又は複数のリソースプールに対応することができること、即ち異なるリソースプールが同じ基礎パラメータセットに対応することができることであってもよい。
【００１１】
第一の態様の上記の可能な実施形態と組み合わせ、第一の態様の第三の可能な実施形態では、前記端末装置が少なくとも一つのリソースプールと少なくとも一つの基礎パラメータセットとの対応関係を取得することは、前記端末装置がネットワーク装置から送信された第一の指示情報を受信し、前記第一の指示情報が前記対応関係を示すことに用いられることと、前記端末装置が第一の指示情報に基づいて前記少なくとも一つのリソースプールと前記少なくとも一つの基礎パラメータセットとの前記対応関係を取得することとを含む。
【００１２】
選択可能に、端末装置はネットワーク装置がユーザ固有シグナリングにより送信した第一の指示情報を受信することができ、端末装置はネットワーク装置がブロードキャストシグナリングにより送信した第一の指示情報を受信することもでき、端末装置はネットワーク装置がダウンリンク制御情報（Ｄｏｗｎｌｉｎｋ  Ｃｏｎｔｒｏｌ  Ｉｎｆｏｒｍａｔｉｏｎ：「ＤＣＩ」と略称）により送信した第一の指示情報を受信することもでき、当然、端末装置はネットワーク装置が他の方式により送信した第一の指示情報を受信することもできる。
【００１３】
第一の態様の上記の可能な実施形態と組み合わせ、第一の態様の第四の実施形態では、前記端末装置が第一の信号を伝送するための第一のリソースプールに基づき、前記第一の信号を伝送するためのターゲット基礎パラメータセットを確定する前に、前記方法はさらに前記端末装置が前記第一の信号を伝送するための前記第一のリソースプールを確定し、前記少なくとも一つのリソースプールが前記第一のリソースプールを含むことを含む。
【００１４】
第一の態様の上記の可能な実施形態と組み合わせ、第一の態様の第五の実施形態では、前記端末装置が第一の信号を伝送するための前記第一のリソースプールを確定することは、前記端末装置が前記第一の信号のサービスタイプに応じて前記第一の信号を伝送するための前記第一のリソースプールを確定すること、又は、前記端末装置が前記第一の信号を伝送するための周波数帯域に基づいて前記第一の信号を伝送するための前記第一のリソースプールを確定すること、又は、前記端末装置がネットワーク装置とのパス損失パラメータに基づいて前記第一の信号を伝送するための前記第一のリソースプールを確定することを含む。
【００１５】
第一の態様の上記の可能な実施形態と組み合わせ、第一の態様の第六の実施形態では、前記端末装置が前記第一の信号を伝送するための第一のリソースプールを確定することは、前記端末装置がネットワーク装置から送信された第二の指示情報を受信し、前記第二の指示情報が前記第一の信号を伝送するための前記第一のリソースプールを示すことに用いられることと、前記端末装置が前記第二の指示情報に基づいて前記第一の信号を伝送するための前記第一のリソースプールを確定することとを含む。
【００１６】
具体的には、ネットワーク装置は端末装置へ第二の指示情報を送信することにより、端末装置が前記第一の信号を伝送するために使用する第一のリソースプールを示すことができ、選択可能に、端末装置はネットワーク装置がユーザ固有シグナリングにより送信した第二の指示情報を受信することができ、端末装置はネットワーク装置がブロードキャストシグナリングにより送信した第二の指示情報を受信することもでき、端末装置はネットワーク装置がＤＣＩにより送信した第一の指示情報を受信することもでき、当然、端末装置はネットワーク装置が他の方式により送信した第一の指示情報を受信することもできる。
【００１７】
第一の態様の上記の可能な実施形態と組み合わせ、第一の態様の第七の実施形態では、前記端末装置が第一の信号を伝送するための第一のリソースプールを確定することは、前記端末装置が前記第一の信号以外の第二の信号を検出し、前記第二の信号が所在するリソースプールを前記第一の信号を伝送するための前記第一のリソースプールとして確定することを含む。即ち、端末装置はそれ自体で送信する必要がある信号以外の信号のためのリソースプールを検出することができ、他の信号のためのリソースプールをそれ自体の第一のリソースプールとすることができる。
【００１８】
第一の態様の上記の可能な実施形態と組み合わせ、第一の態様の第八の実施形態では、前記端末装置が前記第一の信号を伝送するための前記第一のリソースプールを確定することは、
前記端末装置が前記少なくとも一つのリソースプールから、一つのリソースプールを前記第一の信号を伝送するための前記第一のリソースプールとしてランダムに選択すること、又は
前記端末装置が前記端末装置の伝送パラメータに基づいてリソースプールインデックスを確定し、前記リソースプールインデックスに基づいて少なくとも一つのリソースプールから前記第一の信号を伝送するための前記第一のリソースプールを確定すること、又は
前記端末装置が負荷に基づいて前記少なくとも一つのリソースプールに対して負荷測定を行った後、負荷が最も低いリソースプール又は第一の閾値より低いリソースプールを前記第一の信号を伝送するためのリソースプールとして選択することを含む。
【００１９】
具体的には、端末装置は少なくとも一つのリソースプールから、一つのリソースプールをそれ自体の第一のリソースプールとして任意に選択することができ、又は、端末装置はそれ自体のいくつかの伝送パラメータ、例えば無線ネットワーク一時識別子又は端末装置のセル識別子などに基づいてリソースプールインデックスを計算し、その後リソースプールインデックスに基づいて少なくとも一つのリソースプールから、第一のリソースプールを確定することができ、又は端末装置は少なくとも一つのリソースプールに対して負荷測定を行うことができ、少なくとも一つのリソースプールから、負荷が最も低いリソースプールを第一のリソースプールとして選択することができ、例えば、少なくとも一つのリソースプールにおける信号受信電力の大きさを測定し、信号平均受信電力が最も小さいリソースプールを第一のリソースプールとして選択することができ、そして信号平均受信電力が最も小さいリソースプールが複数である場合、平均電力が最も小さいリソースプールにおいて一つのリソースプールを第一のリソースプールとして任意に選択することができ、当然、信号平均受信電力がプリセット閾値より小さいいずれかのリソースプールを第一のリソースプールとして選択することもできる。
【００２０】
第一の態様の上記の可能な実施形態と組み合わせ、第一の態様の第九の実施形態では、前記端末装置が前記ターゲット基礎パラメータセットに基づいて前記第一のリソースプールの伝送リソースで前記第一の信号を伝送することは、
前記端末装置が前記ターゲット基礎パラメータセットに基づいて前記第一のリソースプールに含まれる少なくとも一つの伝送リソースから伝送リソースをランダムに選択して前記第一の信号を伝送すること、又は、
前記端末装置が前記端末装置の伝送パラメータに基づいて伝送リソースインデックスを確定し、伝送リソースインデックスに基づいて前記第一のリソースプールに含まれる少なくとも一つの伝送リソースから、前記第一の信号を伝送するための伝送リソースを確定し、前記端末装置が前記ターゲット基礎パラメータセットに基づき、前記第一の信号を伝送するための伝送リソースで前記第一の信号を伝送すること、又は、
前記端末装置が予め設定された伝送リソースインデックスに基づき、前記第一の信号を伝送するための第一のリソースプールに含まれる少なくとも一つの伝送リソースから、前記第一の信号を伝送するための伝送リソースを確定し、前記端末装置が前記ターゲット基礎パラメータセットに基づき、前記第一の信号を伝送するための伝送リソースで前記第一の信号を伝送すること、又は、
前記端末装置が前記第一のリソースプールに含まれる少なくとも一つの伝送リソースで負荷測定を行い、前記第一のリソースプールに含まれる少なくとも一つの伝送リソースから、負荷が最も低い伝送リソース又は第二の閾値より低い伝送リソースを選択し、前記端末装置が前記ターゲット基礎パラメータセットに基づいて前記負荷が最も低い伝送リソース又は第二の閾値より低い伝送リソースで前記第一の信号を伝送することを含む。
【００２１】
具体的には、第一のリソースプールに少なくとも一つの伝送リソースが含まれ、どのように第一のリソースプールにおいて前記第一の信号を伝送するための伝送リソースを確定するかは、以下の４つの方式により確定されてもよい。第一の方式では、第一のリソースプールに含まれる少なくとも一つの伝送伝送リソースから、一つの伝送リソースをランダムに選択して前記第一の信号を伝送し、第二の方式では、端末装置の伝送パラメータに基づいて伝送リソースインデックスを計算し、例えば伝送パラメータが端末装置の無線ネットワーク一時識別子又は前記端末装置のセル識別子であってもよく、伝送リソースインデックスを計算し、伝送リソースインデックスに基づいてターゲット第一のリソースプールに含まれる少なくとも一つの伝送リソースから、前記第一の信号を伝送するためのリソースを確定し、第三の方式では、端末装置が予め設定された伝送リソースインデックスを保留するため、端末装置は予め設定された伝送リソースインデックスに基づいて少なくとも一つの伝送リソースから、前記第一の信号を伝送するためのリソースを確定し、第四の方式では、端末装置は第一のリソースプールに含まれる少なくとも一つの伝送リソースを測定し、負荷が最も低い伝送リソースを前記信号を伝送するためのリソースとして選択することができ、例えば、端末装置は第一のリソースプールの少なくとも一つの伝送リソース内の各伝送リソースの信号受信電力を測定し、信号平均受信電力が最も低い伝送リソースを前記第一の信号を伝送するためのリソースとし、そして信号平均受信電力が最も低い伝送リソースが複数である場合、複数の伝送リソースから、一つの伝送リソースを任意に選択して前記第一の信号を伝送することができる。
【００２２】
第一の態様の上記の可能な実施形態と組み合わせ、第一の態様の第十の実施形態では、前記第一のリソースプール及び／又は前記少なくとも一つのリソースプールのリソースプールは少なくとも一つの伝送リソースを含み、前記少なくとも一つの伝送リソースの各伝送リソースが物理時間周波数リソース及び／又はシーケンスリソースを含み、ここで、シーケンスリソースが一つのシーケンスグループのシーケンスであってもよく、一つのコードブックのコードワードであってもよく、一つのインターレースパターンであってもよく、さらに、少なくとも一つのリソースプールの各リソースプールにおける伝送リソースが互いに直交し、少なくとも一つのリソースプールの各リソースプールが互いに直交することが、物理時間周波数リソースが互いに直交すること、又はシーケンスリソースが互いに直交することであってもよく、また物理時間周波数リソースが互いに直交することであってもよい。
【００２３】
第一の態様の上記の可能な実施形態と組み合わせ、第一の態様の第十一の実施形態では、前記第一の信号はランダムアクセス信号又はデータ信号又はアップリンク制御信号である。
【００２４】
第二の態様による信号伝送方法は、ネットワーク装置が端末装置へ第一の指示情報を送信し、前記端末装置が前記第一の指示情報に基づいて前記少なくとも一つのリソースプールと前記少なくとも一つの基礎パラメータセットとの前記対応関係を取得するように、前記第一の指示情報が前記対応関係を示すことに用いられ、前記対応関係が前記少なくとも一つのリソースプールの各リソースプールが前記少なくとも一つの基礎パラメータセットの一つの基礎パラメータセットに対応することを示すことに用いられることを含む。
【００２５】
第二の態様の第一の可能な実施形態では、ネットワーク装置は端末装置へ第二の指示情報を送信し、前記端末装置が前記第二の指示情報に基づき、前記第一の信号を伝送するための前記第一のリソースプールを確定するように、前記第二の指示情報が前記第一の信号を伝送するための前記第一のリソースプールを示すことに用いられる。
【００２６】
第三の態様による信号伝送装置は、上記の第一の態様又は第一の態様のいずれかの可能な実施形態における方法を実行することに用いられる。具体的には、該装置は上記の第一の態様又は第一の態様のいずれかの可能な実施形態における方法を実行するためのユニットを備える。
【００２７】
第四の態様による信号伝送装置は上記の第二の態様又は第二の態様のいずれかの可能な実施形態における方法を実行することに用いられる。具体的には、該装置は上記の第二の態様又は第二の態様のいずれかの可能な実施形態における方法を実行するためのユニットを備える。
【００２８】
第五の態様による信号伝送装置は、受信機、送信機、メモリ、プロセッサとバスシステムを備える。ここで、該受信機、該送信機、該メモリと該プロセッサは該バスシステムを介して接続し、該メモリは命令を記憶することに用いられ、該プロセッサは該メモリに記憶された命令を実行し、信号を受信及び送信するように受信機を制御することに用いられ、そして該プロセッサが該メモリに記憶された命令を実行する場合、該実行により該プロセッサは第一の態様の方法又は第一の態様のいずれかの可能な実施形態における方法を実行する。
【００２９】
第六の態様による信号伝送装置は、受信機、送信機、メモリ、プロセッサとバスシステムを備える。ここで、該受信機、該送信機、該メモリと該プロセッサは該バスシステムを介して接続し、該メモリは命令を記憶することに用いられ、該プロセッサが該メモリに記憶された命令を実行し、信号を受信及び送信するように受信機を制御することに用いられ、そして該プロセッサが該メモリに記憶された命令を実行する場合、該実行により該プロセッサは第六の態様の方法又は第六の態様のいずれかの可能な実施形態における方法を実行する。
【００３０】
第七の態様によるコンピュータ可読媒体は、第一の態様又は第一の態様のいずれかの可能な実施形態における方法を実行するための命令を含むコンピュータプログラムを記憶することに用いられる。
【００３１】
第八の態様によるコンピュータ可読媒体は、第二の態様又は第二の態様のいずれかの可能な実施形態における方法を実行するための命令を含むコンピュータプログラムを記憶することに用いられる。
【図面の簡単な説明】
【００３２】
【図１】本発明の実施例による信号伝送方法の概略図である。
【図２】本発明の実施例による信号伝送装置の概略ブロック図である。
【図３】本発明の実施例の他の信号伝送装置の概略ブロック図である。
【発明を実施するための形態】
【００３３】
本発明の実施例の技術的解決策をより明確に説明するために、以下に実施例又は従来技術の説明に必要な図面を簡単に説明し、明らかに、以下に記載される図面は本発明のいくつかの実施例に過ぎず、当業者であれば、創造的な労力を要することなく、これらの図面に基づいて他の図面を得ることができる。
【００３４】
以下に本発明の実施例の図面を組み合わせながら、本発明の実施例における技術的解決策を明確に、全面的に説明し、明らかに、説明される実施例は本発明の一部の実施例に過ぎず、全ての実施例ではない。本発明の実施例に基づき、当業者が創造的な労力を要せずに得た他の実施例は、全て本発明の保護範囲に属する。
【００３５】
理解すべきものとして、本発明の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ  Ｓｙｓｔｅｍ「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ「ＵＭＴＳ」と略称）又はワールドワイドインターオペラビリティマイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム、及び将来の可能な通信システムなどに応用されてもよい。
【００３６】
また、理解すべきものとして、本発明の実施例では、端末装置はユーザ装置（Ｕｓｅｒ  Ｅｑｕｉｐｍｅｎｔ：「ＵＥ」）、端末装置、移動局（Ｍｏｂｉ１ｅ  Ｓｔａｔｉｏｎ：「ＭＳ」と略称）、移動端末（Ｍｏｂｉｌｅ  Ｔｅｒｍｉｎａｌ）又は将来の５Ｇネットワークにおける端末装置などと呼ばれてもよく、該端末装置は無線アクセスネットワーク（Ｒａｄｉｏ  Ａｃｃｅｓｓ  Ｎｅｔｗｏｒｋ：「ＲＡＮ」）を介して一つ又は複数のコアネットワークと通信を行うことができ、例えば、端末は移動電話（又は「セルラー」電話）又は移動端末を備えたコンピュータなどであってもよく、例えば、端末はさらにポータブル型、ポケット型、ハンドヘルド型、コンピュータ内蔵型又は車載移動端末であってもよく、それらが無線アクセスネットワークと音声及び／又はデータを交換する。
【００３７】
ネットワーク装置は移動装置との通信に用いられてもよく、ネットワーク装置は、グローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）又は符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）における基地局（ＢＴＳ：Ｂａｓｅ  Ｔｒａｎｓｃｅｉｖｅｒ  Ｓｔａｔｉｏｎ：「ＢＴＳ」と略称）であってもよく、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）における基地局（ＮｏｄｅＢ：「ＮＢ」と略称）であってもよく、ＬＴＥにおける進化型基地局（ｅＮＢ又はｅＮｏｄｅＢ：Ｅｖｏｌｕｔｉｏｎａｌ  Ｎｏｄｅ  Ｂ：「ｅＮＢ」又は「ｅＮｏｄｅＢ」と略称）であってもよく、又は中継局又はアクセスポイント、又は車載デバイス、ウェアラブルデバイス及び将来の５Ｇネットワークにおけるアクセスネットワーク装置であってもよい。
【００３８】
図１は本発明の実施例による信号伝送方法１００の概略フローチャートである。図１に信号伝送方法のステップ又は操作が示されるが、これらのステップ又は操作は一例に過ぎず、本発明の実施例は他の操作又は図１の各操作の変形を実行することができ、該方法１００はＳ１１０とＳ１２０を含む。
【００３９】
Ｓ１１０において、前記端末装置は第一の信号を伝送するための第一のリソースプールに基づき、前記第一の信号を伝送するためのターゲット基礎パラメータセットを確定する。
【００４０】
Ｓ１２０において、前記端末装置は前記ターゲット基礎パラメータセットに基づいて前記第一のリソースプールの伝送リソースで前記第一の信号を伝送する。
【００４１】
選択可能に、Ｓ１１において端末装置は基礎パラメータセットとリソースプールとの対応関係に応じて第一の信号を伝送するためのターゲット基礎パラメータセットを確定することができ、当然、端末装置は予め設定された基礎パラメータセットとリソースプールとの内部関係又は論理関係に応じて前記第一の信号を伝送するためのターゲット基礎パラメータセットを確定することもできる。当然、端末装置は他の方式を使用して第一のリソースプールに基づいて前記第一の信号を伝送するためのターゲット基礎パラメータセットを確定することができる。
【００４２】
したがって、端末装置は第一のリソースプールに基づいて対応するターゲット基礎パラメータセットを取得し、その後該ターゲット基礎パラメータセットに基づいて第一のリソースプールの伝送リソースを使用して前記第一の信号を伝送することができ、このようにして、端末装置はリソースプールに基づいて対応するターゲット基礎パラメータセットを確定することができ、それによって固定された基本パラメータセットを従来技術により割り当てることが回避され、端末装置は前記第一のリソースプールに基づいて前記第一の信号に対応するターゲット基礎パラメータセットを確定することができ、それによって端末装置が基礎パラメータセットを選択する柔軟性を向上させることもできる。
【００４３】
さらに、異なるサービスに対して異なる基礎パラメータセットを選択することができ、例えば該第一の信号が第一のサービスタイプである場合、第一の基礎パラメータセットを選択し、該第一の信号が第二のサービスタイプである場合、第二の基礎パラメータセットを選択し、このようにして異なるサービスのニーズを満たすことができる。
【００４４】
端末装置は少なくとも一つのリソースプールと少なくとも一つの基礎パラメータセットとの対応関係を取得し、前記対応関係が、前記少なくとも一つのリソースプールの各リソースプールが前記少なくとも一つの基礎パラメータセットの一つの基礎パラメータセットに対応することを示すことに用いられる。
【００４５】
選択可能に、第一の信号はランダムアクセス信号であってもよく、例えばプリアンブル（Ｐｒｅａｍｂｌｅ）信号又は物理ランダムアクセスチャネル（Ｐｈｙｓｉｃａｌ  Ｒａｎｄｏｍ  Ａｃｃｅｓｓ  Ｃｈａｎｎｅｌ：「ＰＲＡＣＨ」と略称）であってもよく、又はデータ信号又はアップリンク制御信号（Ｐｈｙｓｉｃａｌ  Ｕｐｌｉｎｋ  Ｃｏｎｔｒｏｌ  Ｃｈａｎｎｅｌ：「ＰＵＣＣＨ」と略称又はＳｃｈｅｄｕｌｅ  Ｒｅｑｕｅｓｔ（スケジュールリクエスト）など）などであってもよく、本発明の実施例はこれに限定されない。
【００４６】
一つの選択可能な実施例として、Ｓ１１０の前に、前記方法１００はさらに端末装置が少なくとも一つのリソースプールと少なくとも一つの基礎パラメータセットとの対応関係を取得し、前記対応関係が前記少なくとも一つのリソースプール内の各リソースプールが前記少なくとも一つの基礎パラメータセットにおける一つの基礎パラメータセットに対応することに用いられ、前記少なくとも一つのリソースプールが前記第一のリソースプールを含むことを含み、ここで、Ｓ１１０は、前記端末装置が前記第一のリソースプールと前記対応関係に基づいて前記少なくとも一つの基礎パラメータセットから、前記第一の信号を伝送するためのターゲット基礎パラメータセットを確定することを含む。
【００４７】
一つの選択可能な実施例として、端末装置は２つの方式により少なくとも一つのリソースプールと少なくとも一つの基礎パラメータセットとの対応関係を取得することができ、第一の方式では、ネットワーク装置は端末装置へ第一の指示情報を送信し、該第一の指示情報が前記対応関係を示すことに用いられ、端末装置は該第一の指示情報を受信し、そして該第一の指示情報に基づいて前記Ｎ個のリソースプールと前記少なくとも一つの基礎パラメータセットとの対応関係を取得する。具体的には、ネットワーク装置はユーザ固有シグナリングにより第一の指示情報を送信し、又はＤＣＩにより該第一の指示情報を送信することができ、端末装置はユーザ固有シグナリングにより第一の指示情報を受信し、又はＤＣＩにより該第一の指示情報を受信し、当然、ネットワーク装置は他のプロトコールにおいて規定された方式により端末装置へ該第一の指示情報を送信することもでき、端末装置はプロトコルにおいて規定された方式によりネットワーク装置から送信された第一の指示情報を受信し、本発明の実施例はこれに限定されない。第二の方式では、端末装置はそれ自体で保留されたＮ個のリソースプールと少なくとも一つの基礎パラメータセットとの対応関係を取得することができる。理解すべきものとして、該対応関係に対して、端末装置は一回だけ取得し、後でそれ自体で使用された基礎パラメータセットに基づいて第一のリソースプールを確定する時に該対応関係を利用して第一のリソースプールを確定することができる。
【００４８】
理解すべきものとして、少なくとも一つのリソースプールと少なくとも一つの基礎パラメータセットとの対応関係は、少なくとも一つのリソースプールの一つのリソースプールが一つの基礎パラメータセットに対応すること、又は一つの基礎パラメータセットが一つ又は複数のリソースプールに対応することができること、即ち異なるリソースプールが同じ基礎パラメータセットに対応することができることであってもよく、言い換えれば、リソースプールの数が基礎パラメータセットの数より大きい。
【００４９】
選択可能に、前記第一のリソースプール及び／又は前記少なくとも一つのリソースプールの各リソースプールは少なくとも一つの伝送リソースを含み、前記少なくとも一つの伝送リソースの各伝送リソースが物理時間周波数リソース及び／又はシーケンスリソースを含み、ここでシーケンスリソースが一つのシーケンスグループのシーケンスであってもよく、一つのコードブックのコードワードであってもよく、一つのインターレースパターンであってもよく、さらに、Ｎ個のリソースプールの各リソースプールにおける伝送リソースが互いに直交し、Ｎ個のリソースプールの各リソースプールが互いに直交することが、物理時間周波数リソースが互いに直交すること、又はシーケンスリソースが互いに直交することであってもよく、物理時間周波数リソースが互いに直交し且つシーケンスリソースも互いに直交することであってもよい。
【００５０】
理解すべきものとして、本発明の実施例に記載される基礎パラメータセット、例えばターゲット基礎パラメータセット及び／又は少なくとも一つの基礎パラメータセットの各基礎パラメータセットは、サブ搬送波間隔、システム帯域幅に含まれるサブ搬送波数、ＰＲＢに含まれるサブ搬送波数、直交周波数分割多重（ＯＦＤＭ）のシンボル長、ＯＦＤＭ信号を生成するためのフーリエ変換例えばＦＦＴ又はＩＦＦＴのポイント数、ＴＴＩに含まれるＯＦＤＭシンボル数、第一の期間内に含まれるＴＴＩ数と前記第一の信号のＣＰタイプ信号と信号ＣＰの時間長を含むことができる。サブ搬送波間隔は隣接しているサブ搬送波の周波数間隔、例えば１５ｋＨｚ、６０ｋＨＺなどであり、特定帯域幅におけるサブ搬送波数が例えば可能なシステム帯域幅ごとに対応するサブ搬送波数であり、ＰＲＢに含まれるサブ搬送波の数が例えば典型的に６又は１６の整数倍であってもよく、ＴＴＩに含まれるＯＦＤＭシンボルの数が例えば典型的に２、４、７の整数倍であってもよく、又は１４の整数倍であってもよく、第一の期間内に含まれるＴＴＩの数が１ｍｓ又は１０ｍｓの時間長内に含まれるＴＴＩの数であってもよく、第一の信号ＣＰタイプが、サイクリックプレフィックスが通常のＣＰで拡張されたり、ＣＰで拡張されたり、第一の信号のＣＰの時間長であってもよい。
【００５１】
選択可能に、例えばターゲット基礎パラメータセット及び／又は少なくとも一つの基礎パラメータセットの各基礎パラメータセットはさらに将来のネットワークシステムにおいて新しく定義されたリソース分割方式における基本パラメータを含むことができ、例えば該基本パラメータが基本周波数領域ユニット、基本周波数領域ユニットパターン、サブ搬送波パターン、時間領域ユニットにおける基準シンボルに占有された位置、単位周期内のＴＴＩパターン、フレームにおけるサブフレームのパターン、サブフレームにおけるタイムスロットのパターン、タイムスロットにおけるＯＦＤＭパターンなどであってもよい。
【００５２】
一つの選択可能な実施例として、Ｓ１１０の前に、前記方法１００はさらに前記端末装置が前記第一の信号を伝送するための前記第一のリソースプールを確定することを含む。端末装置は信号を伝送するための第一のリソースプールは以下の８つの方式により実現されてもよい。
【００５３】
第一の方式では、前記端末装置は前記第一の信号のサービスタイプに応じて前記第一の信号を伝送するための前記第一のリソースプールを確定し、例えば、ネットワーク装置と端末装置は第一のサービスタイプの場合にリソースプール１を使用し、第二のサービスタイプの場合にリソースプール２を使用することを予め定めることができ、前記第一の信号が第一のサービスタイプに属する場合、端末装置は第一のリソースプールがリソースプール１であることを確定し、前記第一の信号が第二のサービスタイプに属する場合、端末装置は第一のリソースプールがリソースプール２であることを確定する。
【００５４】
第二の方式では、前記端末装置は前記第一の信号を伝送するための周波数帯域に基づいて前記第一の信号を伝送するための前記第一のリソースプールを確定し、例えば、端末装置とネットワーク装置は第一の動作周波数帯域がリソースプール３に対応し、第二の動作周波数帯域がリソースプール４に対応することを予め定め、端末装置が第一の動作周波数帯域で前記第一の信号を伝送する場合、端末装置は第一のリソースプールがリソースプール３であることを確定し、端末装置が第二の動作周波数帯域で前記第一の信号を伝送する場合、端末装置は第一のリソースプールがリソースプール４であることを確定する。
【００５５】
第三の方式では、前記端末装置はネットワーク装置とのパス損失パラメータに基づき、前記第一の信号を伝送するための前記第一のリソースプールを確定することを含み、例えば、端末装置とネットワーク装置は、パス損失パラメータが第一の閾値より大きい場合、リソースプール５を選択し、パス損失パラメータが第一の閾値未満である場合、リソースプール６を選択することを予め定めることができ、端末装置はネットワーク装置とのパス損失パラメータに基づき、リソースプール５又はリソースプール６を第一のリソースプールとして選択するかを判定する。
【００５６】
第四の方式では、前記端末はネットワーク装置から送信された第二の指示情報を受信し、前記第二の指示情報が前記第一の信号を伝送するための前記第一のリソースプールを示すことに用いられ、前記端末装置は前記第二の指示情報に基づき、前記第一の信号を伝送するための前記第一のリソースプールを確定する。選択可能に、ネットワーク装置はユーザ固有シグナリングにより端末装置へ第二の指示情報を送信することができ、端末装置はネットワーク装置がユーザ固有シグナリングにより送信した第二の指示情報を受信することができ、ネットワーク装置はブロードキャストシグナリングにより第二の指示情報を送信することができ、端末装置はネットワーク装置がブロードキャストシグナリングにより送信した第二の指示情報を受信することもでき、ネットワーク装置はＤＣＩにより端末装置へ第二の指示情報を送信し、端末装置はネットワーク装置がＤＣＩにより送信した第二の指示情報を受信することができ、当然、ネットワーク装置は他の方式により端末装置へ第二の指示情報を送信することができ、端末装置はネットワーク装置が他の方式により送信した第二の指示情報を受信することもでき、本発明の実施例はこれに限定されない。
【００５７】
第五の方式では、前記端末装置は前記第一の信号以外の第二の信号を検出し、前記第二の信号のためのリソースプールを前記第一の信号を伝送するための前記第一のリソースプールとして確定する。
【００５８】
第六の方式では、前記端末装置は前記少なくとも一つのリソースプールから、一つのリソースプールを前記第一の信号を伝送するための前記第一のリソースプールとしてランダムに選択する。
【００５９】
第七の方式では、前記端末装置は前記端末装置の伝送パラメータに基づいてリソースプールインデックスを確定し、前記リソースプールインデックスに基づいて少なくとも一つのリソースプールから前記第一の信号を伝送するための前記第一のリソースプールを確定し、例えば端末装置の無線ネットワーク一時識別子又はセル識別子に基づいてリソースプールインデックスを計算し、その後リソースプールインデックスに基づいて少なくとも一つのリソースプールから、前記第一の信号を伝送するための第一のリソースプールを確定することができる。
【００６０】
第八の方式では、前記端末装置は前記少なくとも一つのリソースプールに対して負荷測定を行った後、負荷が最も低いリソースプール又は第一の閾値より低いリソースプールを前記第一の信号を伝送するためのリソースプールとして選択し、例えば、端末装置は少なくとも一つのリソースプール内の各リソースプールの信号受信電力を測定し、信号平均受信電力が最も低いリソースプールを前記第一のリソースプールとし、そして信号平均受信電力が最も低い伝送リソースが複数である場合、リソースプールにおいて一つのリソースプールを任意に選択して前記第一の信号を伝送することができる。当然、信号平均受信電力がプリセット閾値より小さいいずれかのリソースプールを前記第一の信号を伝送するための第一のリソースとして選択することもできる。
【００６１】
Ｓ１２０において、前記端末装置は前記ターゲット基礎パラメータに基づいて前記第一のリソースプールの伝送リソースで前記第一の信号を伝送する。端末装置は前記ターゲット基礎パラメータに基づいて第一のリソースプールの伝送リソースで前記第一の信号を伝送し、まず第一のリソースプールに含まれる少なくとも一つの伝送リソースから、前記第一の信号を伝送するための伝送リソースを確定し、その後前記第一の信号を伝送することができ、第一のリソースプールに一つだけの伝送リソースが含まれる場合、端末装置は該一つの伝送リソースで前記第一の信号を伝送すればよく、第一のリソースプールに複数の伝送リソースが含まれる場合、さらに複数の伝送リソースから、前記第一の信号を伝送するためのリソースを選択する必要があり、具体的に第一のリソースプールに含まれる少なくとも一つの伝送リソースから、前記第一の信号を伝送するための伝送リソースを確定することは以下の４つの方式が可能である。
【００６２】
第一の方式では、前記端末装置は前記第一の信号を伝送するための第一のリソースプールに含まれる少なくとも一つの伝送リソースから伝送リソースをランダムに選択して前記第一の信号を伝送する。
【００６３】
第二の方式において、前記端末装置は前記端末装置の伝送パラメータに基づいて伝送リソースインデックスを確定し、例えば端末装置の無線ネットワーク一時識別子又は前記端末装置のセル識別子に基づいて伝送リソースインデックスを計算し、伝送リソースインデックスに基づいて前記第一の信号を伝送するための第一のリソースに含まれる少なくとも一つの伝送リソースから、前記第一の信号を伝送するための伝送リソースを確定し、前記第一の信号を伝送するための伝送リソースで前記第一の信号を伝送することができる。
【００６４】
第三の方式では、端末装置が予め設定された伝送リソースインデックスを保留するため、前記端末装置は予め設定された伝送リソースインデックスに基づき、前記第一の信号を伝送するリソースプールに含まれる少なくとも一つの伝送リソースから、前記第一の信号を伝送するための伝送リソースを確定し、前記第一の信号を伝送するためのリソースで前記第一の信号を伝送する。
【００６５】
第四の方式では、前記端末装置は前記第一の信号を伝送するための第一のリソースプールに含まれる少なくとも一つの伝送リソースで負荷測定を行い、負荷が最も低い伝送リソースを選択し、前記負荷が最も低い伝送リソースで前記第一の信号を伝送し、例えば、端末装置は第一のリソースプールの少なくとも一つの伝送リソース内の各伝送リソースの信号受信電力を測定し、信号平均受信電力が最も低い伝送リソースを前記第一の信号を伝送するためのリソースとし、そして信号平均受信電力の最も低い伝送リソースが複数である場合、複数の伝送リソースから、一つの伝送リソースを任意に選択して前記第一の信号を伝送することができる。当然、信号平均受信電力がプリセット閾値より小さいいずれかの伝送リソースを前記第一の信号を伝送するためのリソースとして選択することもできる。
【００６６】
したがって、本発明の実施例による信号伝送方法では、端末装置はリソースプールと基礎パラメータセットとの対応関係に応じて端末装置の第一のリソースプールに対応するターゲット基礎パラメータセットを確定し、その後ターゲット基礎パラメータセットに基づいて前記第一のリソースプールの伝送リソースで前記第一の信号を伝送し、このようにして、端末装置によって伝送された信号に基づいて対応するターゲット基礎パラメータセットを確定することができ、それによって端末装置に特定の基礎パラメータセットを従来技術により割り当てることが回避され、端末装置は前記第一の信号に基づいて前記第一の信号に対応するターゲット基礎パラメータセットを確定することができ、異なるサービスのニーズを満たすことができ、同時に端末装置が基礎パラメータセットを選択する柔軟性を向上させることもできる。
【００６７】
理解を容易にするために、以下に２つの具体的な例を挙げ、それが本発明の実施例を限定することを意図するものではなく、第一の例として、端末装置はＲＲＣシグナリングにより対応関係を取得し、少なくとも一つのリソースプールにおける受信信号電力に対して負荷測定を行い、第一のリソースプールを確定し、基礎パラメータセットがサブ搬送波間隔であり、具体的に以下のステップを含む。
【００６８】
ステップ１において、ネットワーク装置は端末装置へＲＲＣシグナリングを送信し、ＲＲＣシグナリングに第一の指示情報が含まれ、例えば該第一の指示情報がＮ個のリソースプール及びＮ個のリソースプールにける各リソースプールに対応するサブ搬送波間隔を示し、Ｎが１以上である。具体的には、第一の指示情報はＮ個のリソースプール内の各リソースプールの周波数領域開始位置及び終了位置、各リソースプールに含まれるサブフレームを示すことに用いられてもよく、各リソースプールに少なくとも一つの時間周波数リソースが含まれ、各サブ搬送波が一つのリソースプールに対応し、当然、各サブ搬送波が複数のリソースプールに対応することができ、具体的に容易にするために、ここで各サブ搬送波が一つのリソースプールに対応すると仮定する。
【００６９】
ステップ２において、端末装置はＲＲＣシグナリングによりネットワーク装置から送信された第一の指示情報を受信し、端末装置はＮ個のリソースプール内の各リソースプールの信号受信電力を測定し、Ｎ個のリソースプールの信号平均受信電力を得て、Ｎ個のリソースプールにおける信号平均受信電力が最も小さいリソースプールを信号を伝送するための第一のリソースプールとして選択し、第一のリソースプールに少なくとも一つの時間周波数リソースが含まれる。
【００７０】
ステップ３において、端末装置は第一のリソースプールと第一の指示情報に基づいて少なくとも一つの基礎パラメータセットから、前記第一の信号を伝送するためのターゲット基礎パラメータセットを確定する。
【００７１】
ステップ４において、端末装置は前記ターゲット基礎パラメータセットに基づいて第一のリソースプールに含まれる少なくとも一つの時間周波数リソースにおいて一つの時間周波数リソースを任意に選択してランダムアクセス信号の伝送を行う。
【００７２】
第二の例として、端末装置はブロードキャストシグナリングにより対応関係を取得し、リソースインデックスに基づいて少なくとも一つのリソースプールから、第一のリソースプールを確定し、基礎パラメータセットがサイクリックプレフィックスタイプであり、具体的に以下のステップを含む。
【００７３】
ステップ１において、ネットワーク装置は端末装置へブロードキャストシグナリングを送信し、ブロードキャストシグナリングに第一の指示情報が含まれ、該第一の指示情報がＮ個のリソースプール及び前記Ｎ個のリソースプール内の各リソースプールに対応するサイクリックプレフィックスタイプを示す。具体的には、該第一の指示情報はＮ個のリソースプール内の各リソースプールの周波数領域リソースの開始位置及び終了位置、各リソースプールに含まれるサブフレームを示すことができ、リソースプールごとに少なくとも一つの伝送リソースが含まれ、各伝送リソースが時間周波数リソースとシーケンスシーケンス、各リソースプールに含まれるシーケンスリソースを含む。
【００７４】
ステップ２において、端末装置はネットワーク装置によってブロードキャストされたブロードキャストシグナリングを受信した後、ブロードキャストシグナリングから第一の指示情報を取得する。端末装置はネットワーク装置から送信されたＤＣＩシグナリングを受信することもでき、該ＤＣＩシグナリングにリソースプールインデックスが含まれ、端末装置は該リソースプールインデックスに基づいてＮ個のリソースプールにおいて第一のリソースプールを確定する。
【００７５】
ステップ３において、端末装置は第一の指示情報及び第一のリソースプールに基づき、該第一のリソースプールに対応するサイクリックプレフィックスタイプが拡張サイクリックプレフィックスであることを確定する。
【００７６】
ステップ４において、端末装置は無線ネットワーク一時識別子（Ｒａｄｉｏ  Ｎｅｔｗｏｒｋ  Ｔｅｍｐｏｒｙ  Ｉｄｅｎｔｉｔｙ：「ＲＮＴＩ」と略称）に基づいて伝送リソースのインデックスを計算し、伝送リソースのインデックスに基づいて第一のリソースプールに含まれる少なくとも一つの伝送リソースから、データ信号を伝送するための伝送リソースを確定し、伝送リソースに含まれる時間周波数リソースとシーケンスリソースでデータ信号を伝送する。
【００７７】
以上に図１を組み合わせて本発明の実施例による信号伝送方法を説明し、以下に図２と図３を組み合わせて本発明の実施例における信号伝送装置を説明する。
【００７８】
図２は本発明の実施例による信号伝送装置２００の概略図であり、該装置は例えば方法１００における端末装置であってもよく、該装置２００は確定モジュール２１０と伝送モジュール２２０を備える。
【００７９】
確定モジュール２１０は、第一の信号を伝送するための第一のリソースプールに基づき、前記第一の信号を伝送するためのターゲット基礎パラメータセットを確定する。
【００８０】
伝送モジュール２２０は、前記ターゲット基礎パラメータセットに基づいて前記第一のリソースプールの伝送リソースで前記第一の信号を伝送するように構成される。
【００８１】
一つの選択可能な実施例として、前記装置２００は、第一の信号を伝送するための第一のリソースプールに基づき、前記第一の信号を伝送するためのターゲット基礎パラメータセットを確定する前に、少なくとも一つのリソースプールと少なくとも一つの基礎パラメータセットとの対応関係を取得するように構成され、前記対応関係が、前記少なくとも一つのリソースプール内の各リソースプールが前記少なくとも一つの基礎パラメータセットにおける一つの基礎パラメータセットに対応することを示すことに用いられ、前記少なくとも一つのリソースプールが前記第一のリソースプールを含む取得モジュールをさらに備え、前記確定モジュール２１０は具体的に前記第一のリソースプールと前記対応関係に基づいて前記少なくとも一つの基礎パラメータセットから、前記第一の信号を伝送するためのターゲット基礎パラメータセットを確定するように構成される。
【００８２】
一つの選択可能な実施例として、前記取得モジュールは具体的にネットワーク装置から送信された第一の指示情報を受信し、前記第一の指示情報が前記対応関係を示すことに用いられ、前記第一の指示情報に基づいて前記少なくとも一つのリソースプールと前記少なくとも一つの基礎パラメータセットとの前記対応関係を取得するように構成される。
【００８３】
一つの選択可能な実施例として、前記確定モジュール２１０はさらに第一の信号を伝送するための第一のリソースプールに基づき、前記第一の信号を伝送するためのターゲット基礎パラメータセットを確定する前に、前記第一の信号を伝送するための前記第一のリソースプールを確定するように構成される。
【００８４】
一つの選択可能な実施例として、前記確定モジュール２１０は具体的にネットワーク装置から送信された第二の指示情報を受信し、前記第二の指示情報が前記第一の信号を伝送するための前記第一のリソースプールを示すことに用いられることと、前記第二の指示情報に基づいて前記第一の信号を伝送するための前記第一のリソースプールを確定するように構成される。
【００８５】
一つの選択可能な実施例として、前記確定モジュール２１０は具体的に前記第一の信号のサービスタイプ、周波数帯域とパス損失パラメータのうちの少なくとも一つに基づき、前記第一の信号を伝送するための前記第一のリソースプールを確定するように構成される。
【００８６】
一つの選択可能な実施例として、前記確定モジュール２１０は具体的に前記少なくとも一つのリソースプールから、一つのリソースプールを前記第一の信号を伝送するための前記第一のリソースプールとしてランダムに選択するように構成され、又は
前記装置の伝送パラメータに基づいてリソースプールインデックスを確定し、前記リソースプールインデックスに基づいて少なくとも一つのリソースプールから前記第一の信号を伝送するための前記第一のリソースプールを確定するように構成され、又は
前記少なくとも一つのリソースプールに対して負荷測定を行った後、負荷の最も低いリソースプール又は第一の閾値より低いリソースプールを前記第一の信号を伝送するためのリソースプールとして選択するように構成され、又は
前記第一の信号以外の第二の信号を検出し、前記第二の信号が所在するリソースプールを前記第一の信号を伝送するための前記第一のリソースプールとして確定するように構成される。
【００８７】
一つの選択可能な実施例として、前記伝送モジュール２２０は具体的に、
前記ターゲット基礎パラメータセットに基づいて前記第一のリソースプールに含まれる少なくとも一つの伝送リソースから伝送リソースをランダムに選択して前記第一の信号を伝送するように構成され、又は
前記装置２００の伝送パラメータに基づいて伝送リソースインデックスを確定し、伝送リソースインデックスに基づいて前記第一のリソースプールに含まれる少なくとも一つの伝送リソースから、前記第一の信号を伝送するための伝送リソースを確定し、前記ターゲット基礎パラメータセットに基づいて前記第一の信号を伝送するための伝送リソースで前記第一の信号を伝送するように構成され、又は、
予め設定された伝送リソースインデックスに基づき、前記第一の信号を伝送するための第一のリソースプールに含まれる少なくとも一つの伝送リソースから、前記第一の信号を伝送するための伝送リソースを確定するように構成され、前記装置２００が前記ターゲット基礎パラメータセットに基づいて前記第一の信号を伝送するための伝送リソースで前記第一の信号を伝送し、又は、
前記第一のリソースプールに含まれる少なくとも一つの伝送リソースで負荷測定を行い、前記第一のリソースプールに含まれる少なくとも一つの伝送リソースから、負荷の最も低い伝送リース又は第二の閾値より低い伝送リソースを選択し、前記ターゲット基礎パラメータセットに基づいて前記負荷の最も低い伝送リソース又は第二の閾値より低い伝送リソースで前記第一の信号を伝送するように構成される。
【００８８】
一つの選択可能な実施例として、前記リソースプールは少なくとも一つの伝送リソースを含み、前記少なくとも一つの伝送リソース内の各伝送リソースが物理時間周波数リソース及び／又はシーケンスリソースを含む。
【００８９】
一つの選択可能な実施例として、前記基礎パラメータセットは、サブ搬送波間隔、システム帯域幅に含まれるサブ搬送波数、物理リソースブロック（ＰＲＢ）に含まれるサブ搬送波数、直交周波数分割多重（ＯＦＤＭ）のシンボル長、ＯＦＤＭ信号を生成するための高速フーリエ変換（ＦＦＴ）又は逆高速フーリエ変換（ＩＦＦＴ）のポイント数、伝送時間間隔（ＴＴＩ）に含まれるＯＦＤＭシンボル数、第一の期間内に含まれるＴＴＩ数と前記第一の信号のサイクリックプレフィックス（ＣＰ）タイプのうちの少なくとも一つを含む。
【００９０】
一つの選択可能な実施例として、前記第一の信号はランダムアクセス信号又はデータ信号又はアップリンク制御信号である。
【００９１】
図３に本発明の実施例による信号伝送装置３００が示される。例えば該装置３００は方法１００における端末装置であってもよく、該装置３００は送受信機３１０、プロセッサ３２０、メモリ３３０とバスシステム３４０を備える。ここで、送受信機３１０、プロセッサ３２０とメモリ３３０はバスシステム３４０を介して接続し、該メモリ３３０が命令を記憶することに用いられ、該プロセッサ３２０が該メモリ３３０に記憶された命令を実行し、信号を送信又は受信するように送受信機３１０を制御することに用いられる。
【００９２】
ここで、前記プロセッサ３２０は第一の信号を伝送するための第一のリソースプールに基づき、前記第一の信号を伝送するためのターゲット基礎パラメータセットを確定するように構成され、前記送受信機３１０は前記ターゲット基礎パラメータセットに基づいて前記第一のリソースプールの伝送リソースで前記第一の信号を伝送するように構成される。
【００９３】
一つの選択可能な実施例として、前記送受信機３１０はさらに第一の信号を伝送するための第一のリソースプールに基づき、前記第一の信号を伝送するためのターゲット基礎パラメータセットを確定する前に、少なくとも一つのリソースプールと少なくとも一つの基礎パラメータセットとの対応関係を取得するように構成され、前記対応関係が、前記少なくとも一つのリソースプール内の各リソースプールが前記少なくとも一つの基礎パラメータセットにおける一つの基礎パラメータセットに対応することを示すことに用いられ、前記少なくとも一つのリソースプールが前記第一のリソースプールを含み、前記プロセッサ３２０は具体的に前記第一のリソースプールと前記対応関係に基づいて前記少なくとも一つの基礎パラメータセットから、前記第一の信号を伝送するためのターゲット基礎パラメータセットを確定するように構成される。
【００９４】
一つの選択可能な実施形態では、前記送受信機３１０はさらにネットワーク装置から送信された第一の指示情報を受信し、前記第一の指示情報が前記対応関係を示すことに用いられ、前記第一の指示情報に基づいて前記少なくとも一つのリソースプールと前記少なくとも一つの基礎パラメータセットとの前記対応関係を取得するように構成される。
【００９５】
一つの選択可能な実施例として、前記プロセッサ３２０はさらに第一の信号を伝送するための第一のリソースプールに基づき、前記第一の信号を伝送するためのターゲット基礎パラメータセットを確定する前に、前記第一の信号を伝送するための前記第一のリソースプールを確定するうように構成される。
【００９６】
一つの選択可能な実施例として、前記プロセッサ３２０は具体的にネットワーク装置から送信された第二の指示情報を受信し、前記第二の指示情報が前記第一の信号を伝送するための前記第一のリソースプールを示すことに用いられ、前記第二の指示情報に基づいて前記第一の信号を伝送するための前記第一のリソースプールを確定するように構成される。
【００９７】
一つの選択可能な実施例として、前記プロセッサ３２０は具体的に前記第一の信号のサービスタイプ、周波数帯域とパスパラメータのうちの少なくとも一つに基づき、前記第一の信号を伝送するための前記第一のリソースプールを確定するように構成される。
【００９８】
一つの選択可能な実施例として、前記プロセッサ３２０は具体的に前記少なくとも一つのリソースプールから、一つのリソースプールを前記第一の信号を伝送するための前記第一のリソースプールとしてランダムに選択するように構成され、又は
前記装置の伝送パラメータに基づいてリソースプールインデックスを確定し、前記リソースプールインデックスに基づいて少なくとも一つのリソースプールから前記第一の信号を伝送するための前記第一のリソースプールを伝送するように構成され、又は
前記少なくとも一つのリソースプールに対して負荷測定を行った後、負荷の最も低いリソースプール又は第一の閾値より低いリソースプールを前記第一の信号を伝送するためのリソースプールとして選択するように構成され、
前記第一の信号以外の第二の信号を検出し、前記第二の信号が所在するリソースプールを前記第一の信号を伝送するための前記第一のリソースプールとして確定するように構成される。
【００９９】
一つの選択可能な実施例として、前記送受信機３１０は具体的に、
前記ターゲット基礎パラメータセットに基づいて前記第一のリソースプールに含まれる少なくとも一つの伝送リソースから伝送リソースをランダムに選択して前記第一の信号を伝送するように構成され、又は
前記装置３００の伝送パラメータに基づいて伝送リソースインデックスを確定し、伝送リソースインデックスに基づいて前記第一のリソースプールに含まれる少なくとも一つの伝送リソースから、前記第一の信号を伝送するための伝送リソースを確定し、前記ターゲット基礎パラメータセットに基づき、前記第一の信号を伝送するための伝送リソースで前記第一の信号を伝送するように構成され、又は、
予め設定された伝送リソースインデックスに基づき、前記第一の信号を伝送するための第一のリソースプールに含まれる少なくとも一つの伝送リソースから、前記第一の信号を伝送するための伝送リソースを確定するように構成され、前記装置３００が前記ターゲット基礎パラメータセットに基づき、前記第一の信号を伝送するための伝送リソースで前記第一の信号を伝送し、又は、
前記第一のリソースプールに含まれる少なくとも一つの伝送リソースで負荷測定を行い、前記第一のリソースプールに含まれる少なくとも一つの伝送リソースから、負荷の最も低い伝送リソース又は第二の閾値より低い伝送リソースを選択し、前記ターゲット基礎パラメータセットに基づいて前記負荷の最も低い伝送リソース又は第二の閾値より低い伝送リソースで前記第一の信号を伝送するように構成される。
【０１００】
一つの選択可能な実施例として、前記リソースプールは少なくとも一つの伝送リソースを含み、前記少なくとも一つの伝送リソース内の各伝送リソースが物理時間周波数リソース及び／又はシーケンスリソースを含む。
【０１０１】
一つの選択可能な実施例として、前記基礎パラメータセットは、サブ搬送波間隔、システム帯域幅に含まれるサブ搬送波数、物理リソースブロック（ＰＲＢ）に含まれるサブ搬送波数、直交周波数分割多重（ＯＦＤＭ）のシンボル長、ＯＦＤＭ信号を生成するための高速フーリエ変換（ＦＦＴ）又は逆高速フーリエ変換（ＩＦＦＴ）のポイント数、伝送時間間隔（ＴＴＩ）に含まれるＯＦＤＭシンボル数、第一の期間内に含まれるＴＴＩ数と前記第一の信号のサイクリックプレフィックス（ＣＰ）タイプのうちの少なくとも一つを含む。
【０１０２】
一つの選択可能な実施例として、前記第一の信号はランダムアクセス信号又はデータ信号又はアップリンク制御信号である。
【０１０３】
理解すべきものとして、本発明の実施例では、プロセッサ３２０は中央処理ユニット（Ｃｅｎｔｒａｌ  Ｐｒｏｃｅｓｓｉｎｇ  Ｕｎｉｔ：「ＣＰＵ」と略称）であってもよく、プロセッサはさらに他の汎用プロセッサ、デジタル信号プロセッサ（ＤＳＰ）、専用特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１０４】
理解すべきものとして、本明細書で用語「及び／又は」は関連するオブジェクトの関連関係を記述するためのものに過ぎず、３種類の関係が存在してもよいことを示し、Ａ及び／又はＢは、Ａが単独で存在すること、ＡとＢが同時に存在すること、Ｂが単独で存在することの３つの状況を示すことができる。また、文字「／」は、一般的に前後にある関連オブジェクトが「又は」の関係であることを示す。
【０１０５】
本発明の実施例では、上記各プロセスの番号の大きさが実行順序を意味せず、各プロセスの実行順序はその機能と内部ロジックによって確定されるべきであり、本発明の実施例の実施プロセスに対していかなる限定を加えるものではないと理解すべきである。
【０１０６】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１０７】
当業者は便宜上且つ簡潔に説明するために、上述したシステム、装置とユニットの具体的な動作プロセスについて上記方法の実施例における対応するプロセスを参照することができ、ここでは説明を省略することを明確に理解することができる。
【０１０８】
本発明が提供するいくつかの実施例では、開示されたシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得る。例えば複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１０９】
分離部材として説明された前記ユニットは物理的に分離するものであってもよく又は物理的に分離するものでなくてもよく、ユニットとして表示された部材は物理的ユニットであってもよく又は物理的ユニットでなくてもよく、即ち一つの箇所に位置してもよく、又は複数のネットワークユニットに分布してもよい。実際のニーズに応じてその中の一部又は全てのユニットを選択して本実施例の解決策の目的を達成することができる。
【０１１０】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０１１１】
前記機能はソフトウェア機能ユニットの形態で実現され且つ独立した製品として販売又は使用される場合、一つのコンピュータ読み取り可能な記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１１２】
以上は、本出願の具体的な実施形態に過ぎず、本出願の保護範囲はこれに制限されず、当業者が本出願に開示された技術範囲内で容易に想到し得る変化又は入れ替わりが全て本出願の保護範囲内に含まれるべきである。したがって、本出願の保護範囲は特許請求の範囲によって準拠するべきである。
【図１】
0006918929.tif 000002
【図２】
0006918929.tif 000003
【図３】
0006918929.tif 000004